(57)【特許請求の範囲】
【請求項１】
橋台間にわたって掛け渡された主桁が対向して立設された主塔から張り出された傾斜ケーブルで吊り下げ支持され、前記主桁が主塔に設置された側桁と、該側桁間に設置された床板とから構成され、前記側桁は主塔に設置された起点用セグメントの両側に接続用セグメントが連続的に継ぎ足され、かつ引張ケーブルでプレストレストが付与されて形成され、これらの起点用セグメントと接続用セグメントとが二本のＨ形鋼を継ぎ足して形成した断面函形の鉄骨を芯材としたことを特徴とする斜張橋。
【請求項２】
橋台間にわたって掛け渡された主桁が対向して立設された主塔から張り出された傾斜ケーブルで吊り下げ支持され、前記主桁が主塔に設置された側桁と、該側桁間に設置された床板とから構成され、前記側桁は主塔に設置された起点用セグメントの両側に接続用セグメントが連続的に継ぎ足され、かつ引張ケーブルでプレストレストが付与されて形成され、これらの起点用セグメントと接続用セグメントとが断面円形の鋼管を芯材としたことを特徴とする斜張橋。
【請求項３】
二本のＨ形鋼を継ぎ足して形成した断面函形の鉄骨を芯材とした起点用セグメントを対向して立設された主塔に設置し、該起点用セグメントを主塔から張り出された傾斜ケーブルで吊り下げ支持し、前記起点用セグメントの両端部に、Ｈ形鋼を継ぎ足して形成した断面函形の鉄骨を芯材とした接続用セグメントを順次継ぎ足しながら、主塔から張り出された傾斜ケーブルで吊り下げ支持し、これらの起点用セグメントと接続用セグメントとは、両端部から突出した芯材の鉄骨同士がプレートでボルト接合され、この接合部に現場打ちコンクリートが打設されて継ぎ足され、これらの起点用セグメントと接続用セグメントとにプレストレスを付与して、１本の鉄骨を芯材とした側桁を、主塔で支持した状態で橋台間に架設し、前記側桁間にわたって床板を設置し、この床板にプレストレスを付与することを特徴とする斜張橋の構築方法。
【請求項４】
断面円形の鋼管を芯材とした起点用セグメントを対向して立設された主塔に設置し、該起点用セグメントを主塔から張り出された傾斜ケーブルで吊り下げ支持し、前記起点用セグメントの両端部に、断面円形の鋼管を芯材とした接続用セグメントを順次継ぎ足しながら、主塔から張り出された傾斜ケーブルで吊り下げ支持し、これらの起点用セグメントと接続用セグメントとは、両端部から突出した芯材の鋼管同士が接合されて継ぎ足され、この接合部と鋼管内とに現場打ちコンクリートを打設し、この現場打ちコンクリートが硬化した後に、これらの起点用セグメントと接続用セグメントとにプレストレスを付与して、１本の鋼管を芯材とした側桁を、主塔で支持した状態で橋台間に架設し、
前記側桁間にわたって床板を設置し、この床板にプレストレスを付与することを特徴とする斜張橋の構築方法。
【発明の詳細な説明】
【０００１】
【発明の属する技術分野】
本発明は斜張橋およびその構築方法に関するものである。
【０００２】
【従来の技術】
従来の斜張橋は主塔に設置した主桁が傾斜ケーブルで吊り下げ支持されて構成されていた。前記の主桁はプレキャストコンクリート製のセグメントが連続的に継ぎ足されて一体化した後に、これらのセグメントが傾斜ケーブルで吊り下げ支持されていた。
【０００３】
【発明が解決しようとする課題】
しかし、上記のような斜張橋は主桁がセグメントの継ぎ足しにより形成されていたため、施工が大がかりになっていた。またセグメントが連続的に継ぎ足されて一体化した後に傾斜ケーブルで吊り下げ支持されていたため、バランスをとるのが困難であった。
【０００４】
本発明は上記のような問題に鑑みてなされたものであり、その目的は、簡単な施工で構築できる斜張橋およびその構築方法を提供することである。
【０００５】
【課題を解決するための手段】
以上の課題を解決するための本願発明の請求項１の斜張橋は、橋台間にわたって掛け渡された主桁が対向して立設された主塔から張り出された傾斜ケーブルで吊り下げ支持され、前記主桁が主塔に設置された側桁と、該側桁間に設置された床板とから構成され、前記側桁は主塔に設置された起点用セグメントの両側に接続用セグメントが連続的に継ぎ足され、かつ引張ケーブルでプレストレストが付与されて形成され、これらの起点用セグメントと接続用セグメントとが二本のＨ形鋼を継ぎ足して形成した断面函形の鉄骨を芯材としたことを特徴とする。
また請求項２の斜張橋は、橋台間にわたって掛け渡された主桁が対向して立設された主塔から張り出された傾斜ケーブルで吊り下げ支持され、前記主桁が主塔に設置された側桁と、該側桁間に設置された床板とから構成され、前記側桁は主塔に設置された起点用セグメントの両側に接続用セグメントが連続的に継ぎ足され、かつ引張ケーブルでプレストレストが付与されて形成され、これらの起点用セグメントと接続用セグメントとが断面円形の鋼管を芯材としたことを特徴とする。
【０００６】
また斜張橋の構築方法は、二本のＨ形鋼を継ぎ足して形成した断面函形の鉄骨を芯材とした起点用セグメントを対向して立設された主塔に設置し、該起点用セグメントを主塔から張り出された傾斜ケーブルで吊り下げ支持し、前記起点用セグメントの両端部に、Ｈ形鋼を継ぎ足して形成した断面函形の鉄骨を芯材とした接続用セグメントを順次継ぎ足しながら、主塔から張り出された傾斜ケーブルで吊り下げ支持し、これらの起点用セグメントと接続用セグメントとは、両端部から突出した芯材の鉄骨同士がプレートでボルト接合され、この接合部に現場打ちコンクリートが打設されて継ぎ足され、これらの起点用セグメントと接続用セグメントとにプレストレスを付与して、１本の鉄骨を芯材とした側桁を、主塔で支持した状態で橋台間に架設し、前記側桁間にわたって床板を設置し、この床板にプレストレスを付与することを特徴とする。
【０００７】
また斜張橋の構築方法は、断面円形の鋼管を芯材とした起点用セグメントを対向して立設された主塔に設置し、該起点用セグメントを主塔から張り出された傾斜ケーブルで吊り下げ支持し、前記起点用セグメントの両端部に、断面円形の鋼管を芯材とした接続用セグメントを順次継ぎ足しながら、主塔から張り出された傾斜ケーブルで吊り下げ支持し、これらの起点用セグメントと接続用セグメントとは、両端部から突出した芯材の鋼管同士が接合されて継ぎ足され、この接合部と鋼管内とに現場打ちコンクリートを打設し、この現場打ちコンクリートが硬化した後に、これらの起点用セグメントと接続用セグメントとにプレストレスを付与して、１本の鋼管を芯材とした側桁を、主塔で支持した状態で橋台間に架設し、前記側桁間にわたって床板を設置し、この床板にプレストレスを付与することを特徴とする。
【０００８】
鉄骨または鋼管を芯材とした側桁と床板とで主桁を形成することができる。側桁を形成するセグメントを軽量化することができるとともに、セグメントの運搬が簡単にできる。各セグメントごとに傾斜ケーブルで吊り下げ支持しながら側桁を形成するため、各セグメントの微調整、すなわちバランスがとりやすくなった。
【０００９】
【発明の実施の形態】
以下、本発明の斜張橋およびその構築方法の実施の形態を図面に基づいて説明する。はじめに斜張橋について説明し、その後に斜張橋の構築方法について説明する。なお、各実施の形態において同じ構成は同じ符号を付して説明し、異なった構成にのみ異なった符号を付して説明する。
【００１０】
この斜張橋１は、図１および２に示すように、橋台２間にわたって掛け渡された主桁３が２本１組の主塔４から張り出された傾斜ケーブル５で吊り下げ支持されて構成されている。
【００１１】
主桁３は、図３に示すように、適宜間隔をもって対向状に設置された側桁６と、この側桁６間にわたって連続的に設置された床板７とから構成されている。この側桁６は起点用セグメント８の両側に接続用セグメント９が連続的に継ぎ足され、引張ケーブル１０でプレストレスが付与されて形成されている。
【００１２】
このセグメント８、９は、図４に示すように、二本のＨ形鋼を継ぎ足して形成した断面函形の鉄骨１３を芯材としたプレキャストコンクリートであり、鉄骨１３の一端部には傾斜ケーブル５が定着される挿入管１２が設けられている。また、これらのセグメント８、９は、図５に示すように、両端部から突出した鉄骨１３同士がプレート２２でボルト接合され、この接合部には現場打ちコンクリート１１が打設されている。したがって、芯材として一本ものの鉄骨１３が埋設された側桁６が傾斜ケーブル５で吊り下げ支持されている。
【００１３】
一方、床板７はプレキャストコンクリート板（以下ＰＣ板という）１４の接合端部１５が側桁の接合段部１６に設置され、引張ケーブル１０でプレストレスを付与されて接合されている。またＰＣ板１４同士は、図６に示すように、長辺側の突起１７が他のＰＣ板１４の長辺側の凹部１８に嵌入され、引張ケーブル１０でプレストレスが付与されて接合されている。
【００１４】
また、図７は鉄骨１３の代わりに、鋼管１９を芯材とした起点用セグメント２０または接続用セグメント２１である。このように鋼管１９を芯材として使用すると、セグメントの軽量化を図ることができ、かつ運搬も容易になる。
【００１５】
次に、斜張橋の構築方法を図８および９により説明する。まず、図８に示すように、橋台２間に２本１組の主塔４を適宜間隔をもって２塔立設する。次に、これらの主塔４に起点用セグメント８を設置し、この起点用セグメント８を主塔４から張り出した傾斜ケーブル５で吊り下げ支持する。次に、この起点用セグメント８の両端部に接続用セグメント９を順次継ぎ足しながら傾斜ケーブル５で吊り下げ支持する。これらのセグメント８、９の接合は、図５に示すように、鉄骨１３をプレート２２でボルト接合した後、この接合部に現場打ちコンクリート１１を打設する。このように各セグメントごとに傾斜ケーブルで吊り下げ支持しながら側桁を形成するため、各セグメントの微調整、すなわちバランスがとりやすくなる。
【００１６】
次に、この現場打ちコンクリート１１が硬化した後、セグメント８、９に引張ケーブル１０でプレストレスを付与すると、１本の鉄骨１３を芯材とした側桁６が、二つの主塔４で支持された状態で橋台２間に架設される。
【００１７】
次に、図９に示すように、対向状に架設された側桁６間にＰＣ板１４を連続的に設置し、引張ケーブル１０でプレストレスを付与して接合する。またＰＣ板１４同士は、図６に示すように、突起１７を他のＰＣ板１４の凹部１８に嵌入して接合し、橋の長さ方向に挿入した引張ケーブル１０でプレストレスを付与する。
【００１８】
次に、図７の起点用セグメント２０および接続用セグメント２１による斜張橋の構築方法について説明する。この方法は、起点用セグメント２０を主塔４に設置するまでは上記と同じである。また、起点用セグメント２０の両端部に接続用セグメント２１を順次継ぎ足すには、図１０に示すように、両側端から突出した鋼管１９同士を接合した後、この接合部と鋼管１９内とに現場打ちコンクリート１１を打設する。
【００１９】
次に、この現場打ちコンクリート１１が硬化した後、これらのセグメント２０、２１に引張ケーブル１０でプレストレスを付与すると、あたかも１本の鋼管１９を芯材とした側桁６が、二つの主塔４で支持された状態で橋台２間に架設される。そして、この側桁６間に前記と同じ方法でＰＣ板１４を設置する。
【００２０】
【発明の効果】
鉄骨または鋼管を芯材とした側桁と床板とで主桁を形成することができる。
【００２１】
側桁を形成するためのセグメントを軽量化することができるとともに、このセグメントの運搬が容易になる。
【００２２】
セグメントの接合精度を調整しながら側桁を形成することができる。
【００２３】
各セグメントごとに傾斜ケーブルで吊り下げ支持しながら側桁を形成するため、各セグメントの微調整、すなわちバランスがとりやすくなる。
【図面の簡単な説明】
【図１】斜張橋の正面図である。
【図２】図１の平面図である。
【図３】主桁の断面斜視図である。
【図４】（１）は接合用セグメントの断面図、（２）は（１）の平面図、（３）は（１）の正面図である。
【図５】セグメント同士の接合部の正面図である。
【図６】ＰＣ板同士の接合部の断面図である。
【図７】（１）は他の接合用セグメントの断面図、（２）は（１）の平面図である。
【図８】斜張橋の構築方法を示したものであり、（１）は主塔に起点用セグメントを設置した状態の正面図、（２）は（１）の平面図である。
【図９】斜張橋の構築方法を示したものであり、（１）は側桁を形成した状態の正面図、（２）は（１）の平面図である。
【図１０】斜張橋の構築方法を示したものであり、（１）は側桁間にＰＣ板を設置した状態の断面斜視図、（２）は側桁の接合部の断面図である。
【符号の説明】
１  斜張橋
２  橋台
３  主桁
４  主塔
５  傾斜ケーブル
６  側桁
７  床板
８、２０  起点用セグメント
９、２１  接続用セグメント
１０  引張ケーブル
１１  現場打ちコンクリート
１２  挿入管
１３  鉄骨
１４  ＰＣ板
１５  接合端部
１６  接合段部
１７  突起
１８  凹部
１９  鋼管
２２  プレート
【図１】
0003701250.tif 000002
【図２】
0003701250.tif 000003
【図３】
0003701250.tif 000004
【図４】
0003701250.tif 000005
【図５】
0003701250.tif 000006
【図６】
0003701250.tif 000007
【図７】
0003701250.tif 000008
【図８】
0003701250.tif 000009
【図９】
0003701250.tif 000010
【図１０】
0003701250.tif 000011